(57)【特許請求の範囲】
【請求項１】
板金製の外箱内を仕切板により仕切り、一方の室に送風ファンを配置し、他方の室に室内熱交換器及びドレンポンプを配置した空気調和装置において、前記仕切板を、前記ドレンポンプの近傍で前記一方の室側へ段差状に突出するように段差壁及び正面壁を有して折り曲げ形成し、前記室内熱交換器の端部を前記段差壁の近傍で終端させて、この端部と前記外箱間に余空間を形成し、この仕切板と前記室内熱交換器との間に電動膨張弁を配置すると共に、前記余空間に冷媒配管を収納し、前記段差壁と前記正面壁で囲まれた空間に前記ドレンポンプ及び液面センサを収納し、前記正面壁と前記段差壁に設けたブラケットに台座板を支持し、この台座板に前記ドレンポンプ及び液面センサを取り付けたことを特徴とする空気調和装置。
【請求項２】
前記ブラケットは、前記仕切板に切り込みを入れて折り曲げてなることを特徴とする請求項１記載の空気調和装置。
【請求項３】
前記ブラケットは雄ねじを有し、前記台座板は板金製であり、雄ねじに対応して錐孔が開けられていてブラケットの下面に当接され、ねじを錐孔に通し雄ねじに螺合して固定されていることを特徴とする請求項１記載の空気調和装置。
【発明の詳細な説明】
【技術分野】
【０００１】
本発明は、空気調和装置に関し、特に、ドレンポンプの取り付け構造の改良に関する。
【背景技術】
【０００２】
従来の天井埋込形空気調和装置は、下端が開いている箱形であり天井に吊られる板金製の外箱と、吸い込み口と吹き出し口とを有し前記外箱の下端開口に設けられる化粧パネルと、前記外箱内に収容されていて室内空気を前記吸い込み口から吸い込み一次空気側へ給送する送風ファンと、前記外箱内に収容されていてドレンパンに載置される室内熱交換器と備えた構成である。
【０００３】
この種のものでは、板金製の外箱内に、ドレンパンに載置される室内熱交換器と、送風ファンと、前記室内熱交換器と前記送風ファンとの間を仕切っていて開口を有しこの開口に送風ファンの送風口が接続されている板金製仕切板と、前記仕切板に関し送風ファンの側にドレンポンプ室が区画して設けられ、このドレンポンプ室にドレンパンに溜まるドレン水を排水するドレンポンプを配置しているものが提案されている（特許文献１参照）。
この場合、従来では、ドレンポンプを支持する台座板を外箱の上面部に支持させるように設けるかまたは外箱の側面部に支持させるように設けていた。
【特許文献１】特開平８−１２１８６０号公報
【発明の開示】
【発明が解決しようとする課題】
【０００４】
しかしながら、台座板を外箱の上面部に設ける構成では正面方向であるか大変に奥まった面への取り付け・取り外しに大変な手間がかかっており、かつ、コストが高く付いており、また、台座板を外箱の側面部に設ける構成では天井空間へ設置後の取り付け・取り外しに側板の外方から行う必要があり一層大変な手間がかかっていた。
【０００５】
本発明の目的は、上述した点に鑑みてなされたものであり、台座板を簡便にかつ低コストで設けることができ、また台座板を強固に設けることができてドレンポンプをしっかりと固定できる空気調和装置を提供することを目的とする。
【課題を解決するための手段】
【０００６】
本発明は、板金製の外箱内を仕切板により仕切り、一方の室に送風ファンを配置し、他方の室に室内熱交換器及びドレンポンプを配置した空気調和装置において、前記仕切板を、前記ドレンポンプの近傍で前記一方の室側へ段差状に突出するように段差壁及び正面壁を有して折り曲げ形成し、前記室内熱交換器の端部を前記段差壁の近傍で終端させて、この端部と前記外箱間に余空間を形成し、この仕切板と前記室内熱交換器との間に電動膨張弁を配置すると共に、前記余空間に冷媒配管を収納し、前記段差壁と前記正面壁で囲まれた空間に前記ドレンポンプ及び液面センサを収納し、前記正面壁と前記段差壁に設けたブラケットに台座板を支持し、この台座板に前記ドレンポンプ及び液面センサを取り付けたことを特徴とする。
上記特徴の構成によれば、送風ファンの吸い込み側の空間を吸い込みに影響を与えない小空間を利用して、仕切板の段差部を設けることができ、外箱を小さくすることができ、この段差部の正面壁と段差壁に設けたブラケットに台座板を支持させて固定するので、台座板を簡便にかつ低コストで設けることができ、また台座板を強固に設けることができてドレンポンプをしっかりと固定できる。
【０００７】
上記特徴の構成において、前記ブラケットは、前記仕切板に切り込みを入れて折り曲げてなることが一層好ましい。これによれば、構成部材の点数が少なくなり、組み付け工数が少なくなり、強固な構造になる。
【０００８】
上記特徴の構成において、前記ブラケットは雄ねじを有し、前記台座板は板金製であり、雄ねじに対応して錐孔が開けられていてブラケットの下面に当接され、ねじを錐孔に通し雄ねじに螺合して固定されていることが一層好ましい。
【発明の効果】
【０００９】
本発明によれば、台座板を簡便にかつ低コストで設けることができ、また台座板を強固に設けることができてドレンポンプをしっかりと固定できる。
【発明を実施するための最良の形態】
【００１０】
以下に、本発明の一実施形態を図面を参照して説明する。
図１は、本発明の空気調和装置の縦断側面図である。図２は、空気調和装置の異なる縦断側面図である。図３は、天井空間に吊り下げ固定された空気調和装置を、化粧パネルとドレンパンを取り外して下から視上げた図である。図４は、化粧パネルは取り外しドレンパンは取り外していない状態を下から視上げた図である。図５は、図３におけるIV−IV断面図である。図６は、機械室と熱交換器室とを仕切る板金製仕切板を機械室側から見た縦断面図である。図７は、板金製仕切板を機械室側から見た斜視図である。図８は、板金製仕切板を逆さにして熱交換器室側から見た斜視図である。図９は、ドレンポンプを取り付ける台座板を逆さにして熱交換器室側から見た斜視図である。図１０は、外箱内の、内部断熱材２１と仕切板の取り付け状態とドレンポンプを取り付ける台座板を逆さにして熱交換器室側から見た斜視図である。
【００１１】
この空気調和装置１０は、板金製の外箱内に、発泡樹脂製ドレンパン１８に載置される室内熱交換器１９と、送風ファン１７と、前記室内熱交換器１９と前記送風ファン１７との間を仕切っていて開口を有しこの開口に送風ファンの送風口が接続されている板金製仕切板４２と、前記仕切板４２に関し前記室内熱交換器１９の側に設けられ前記ドレンパン１８に溜まるドレン水を排水するドレンポンプ４０とを配置している構成である。
この実施形態の空気調和装置１０は、仕切板４２を、冷媒配管取出側で前記送風ファン１７の側へ段差状に突出するように折り曲げ形成し、この段差部の正面壁４２ａと段差壁４２ｂに設けた二つのブラケット４２ｃ，４２ｄに台座板３８を支持させて、この台座板３８に前記ドレンポンプ４０を取り付けたことを特徴としている。
【００１２】
以下、詳細に説明する。図１及び図２に示すように、この空気調和装置１０は、下端が開いている箱形の板金製であり天井スラブ５０に吊られる外箱１１を備え、この外箱１１内を板金製仕切板４２で送風ファン１７を収容する機械室１６と室内熱交換器１９を収容する熱交換器室１５とに仕切り、熱交換器室１５に発泡樹脂製（発泡スチロール製）の内部断熱材２１を配置し、この内部断熱材２１の下端に当接する発泡樹脂製（発泡スチロール製）で防水コートしたドレンパン１８を設け、このドレンパン１８に載置され上面を内部断熱材２１に密着するように前記室内熱交換器１９を配置し、吸込口１２と吹出口１３とを有し前記外箱１１の下端開口に被せて固定される化粧パネル１４と備えている。図２中、符号２７は電動膨張弁である。
【００１３】
この空気調和装置１０は、送風ファン１７を駆動することにより、化粧パネル１４の吸込口１２から室内空気を吸い込み、この室内空気を熱交換器室１５の一次空気側１５ａへ給送し室内熱交換器１９のフィン間の隙間を通流させて熱交換させ、熱交換した空気を吹出口１３から吹き出す、いわゆる一方向吹出型の空気調和装置である。
【００１４】
外箱１１は、吹出口１３側の前面壁と、吸込口１２側の後面壁と、左右の側面壁と、上面壁とからなり、下端が開いている箱形であり、左右の側面壁に吊金具３０が設けられていて、この吊金具３０に天井スラブ５０から垂下した吊ボルト３１の下端を通してナット３２を締め付けることで、天井内空間に収容された状態に吊られる（図２、図４参照）。前記箱形の発泡樹脂製内部断熱材２１は、板金製の外箱１１の熱交換器室１５の内面に密着して設けられている。
【００１５】
図１に示すように、化粧パネル１４は、外箱１１の下端開口に被せてねじで固定されている。この化粧パネル１４を取り外すと、図３に示すように、外箱１１の機械室１６内が露出するとともにドレンパン１８が露出する状態になる。化粧パネル１４は、格子状の複数の開口を有するグリル５１を吸込口１２へ取り外し可能に備え、グリル５１の上にフィルタ材３３を交換可能に備えている。また、化粧パネル１４の吹出口１３には、この吹出口１３の幅方向の垂直断面内を揺動可能であるように合成樹脂製風向変更板３４を備え、この風向変更板３４をマイクロモータ３５により傾き調整できて風向変更できるように構成されている。マイクロモータ３５の駆動及び回転方向はリモートコントローラからの送信信号を受信し、電装箱２８へ電波を送って制御できるとともに、室内壁面に設けられる制御装置（図示しない）のボタンを操作することによっても制御されるように構成されるものである。
【００１６】
図１に示すように、外箱１１内を室内熱交換器１９と送風ファン１７との間を仕切っている板金製仕切板４２には開口５３を有しこの開口５３に送風ファン１７の送風口１７ａが差込み接続されている。送風ファン１７は、シロッコファンを用いることが好ましくモータ３６により回転される。図２に示すように、モータ３６は、軸が両側に伸びていて軸受５２が被嵌していてこの軸受５２が外箱１１の上面部及び板金製仕切板４２より設けられたモータブラケット３７に支持されている。モータ３６の駆動は、リモートコントローラからの送信信号を受信し、電装箱２８へ電波を送って制御できるとともに、室内壁面に設けられる制御装置（図示しない）のボタンを操作することによっても制御されるように構成されるものである。
【００１７】
室内熱交換器１９は、上面を内部断熱材２１の上面壁とほぼ密着し、下面を発泡樹脂製ドレンパン１８の上に載置されている。そして、室内熱交換器１９の管板２０に閉塞部材２２を設けこの閉塞部材２２と内部断熱材２１及びドレンパン１８との間にシール材２３を介在させて一次空気側１５ａと二次空気側１５ｂとを仕切り、また管板２４に第二閉塞部材２５を設けこの第二閉塞部材２５と内部断熱材２１及びドレンパン１８との間にシール材２６を介在させて一次空気側１５ａと二次空気側１５ｂとを仕切るように構成されている。室内熱交換器１９は、蛇行して配置される冷媒管が積層状の放熱フィンの孔を挿通し両端部に冷媒管を保持する管板２０、２４が設けられている。従って、この管板２０、２４が室内熱交換器１９の両端部を規定している。管板２４の外側面には、冷媒配管取出部２９ａ、２９ｂがある。
【００１８】
室内熱交換器１９は、冷房運転時に放熱フィン、その他の温度差を生じる部分に結露する。この結露は、防水コートした発泡樹脂製のドレンパン１８に受けられる。図２に示すように、ドレンの排水手段は、板金製仕切板４２に設けられたブラケット３８に液面センサ３９とドレンポンプ４０が取り付けられ、液面センサ３９とドレンポンプ４０がドレンパン１８のドレン溜まりの一番低い位置に位置する構成である。ドレンポンプ４０は、ドレンが溜まると作動して、ドレン水を汲み上げて排水口４１より排出するようになっている。液面センサ（フロートスイッチ）３９は、ドレンポンプ４０をＯＮ／ＯＦＦさせるものでなく、ドレンポンプ４０が故障等になり、ドレン水がドレンパン１８の許容レベル一杯に溜まったときを検知して信号を出力し、電装箱２８へ信号を送って空気調和装置１０の運転を止め、警告を発する等のための非常手段である。
【００１９】
この実施形態では、図２、図７乃至図１０に示すように、前記仕切板４２を、冷媒配管取出側で前記送風ファン１６の側へ段差状に突出するように折り曲げ形成し、この段差部の正面壁４２ａと段差壁４２ｂに設けた二つのブラケット４２ｃ、４２ｄに台座板３８を支持させてねじで固定し、この台座板３８に前記ドレンポンプ４０を取り付けてある。この構成によれば、送風ファン１７の吸い込み側の空間を吸い込みに影響を与えないように機械室１６に張り出す小空間を利用することができて、仕切板４２に平面方向に見て段差部を設けることができ、この段差部の正面壁４２ａと段差壁４２ｂに設けた二つのブラケット４２ｃ、４２ｄに台座板３８を支持させてねじ等で固定するので、台座板を簡便にかつ低コストで設けることができ、また台座板３８を強固に設けることができてドレンポンプ４０をしっかりと固定でき、外箱１１の機械室・熱交換器室方向の寸法を小さくすることができる。
二つのブラケット４２ｃ、４２ｄは、前記仕切板４２に切り込みを入れて折り曲げてなるので、構成部材の点数が少なくなり、組み付け工数が少なくなり、強固な構造になる。
また、二つのブラケット４２ｃ、４２ｄは、雄ねじを有しており、台座板３８は、板金製であり、前記雄ねじに対応して錐孔が開けられていて前記二つのブラケット４２ｃ、４２ｄの下面に当接され、ねじを前記錐孔に通し前記雄ねじに螺合して固定されているので、メンテナンスが必要なときは、化粧パネル１４を取り外してから、下方からドライバーを用いてねじの取り外して台座板３８及び台座板３８に取り付けたドレンポンプ４０等を天井下まで取り出すことができ、メンテナンスがし易く、その後組み付けるときに容易に行うことができる。
【００２０】
図９に示す台座板３８において、孔５４はドレンポンプ４０の配線を通しているパイプフレームを挿通させる孔であり、孔５５はドレンポンプ４０を固定する固定手段（ボルトを含む）を通す孔であり、開口５６は、液面センサ３９を取り付けるための孔である。台座板３８は四方にリブがあり強度が高められている。
【００２１】
以上、図面を参照して本発明の空気調和装置の実施形態を詳述してきたが、本発明は、上記の実施形態に限定されるものではなく、要旨を逸脱しない範囲内で種々に設計変更することができる。
実施形態では、二つのブラケット４２ｃ，４２ｄは、仕切板４２に切り込みを入れて折り曲げてなるが、仕切板４２とは別部材で作り、仕切板４２に対してねじ、リベット、或るいは溶接により固定して設けても良い。
また、上記実施形態では、一方向吹出型の空気調和装置に適用したが、本発明は二方向吹出型と四方向吹出型の空気調和装置にも適用される。
【図面の簡単な説明】
【００２２】
【図１】本発明の空気調和装置の縦断側面図である。
【図２】空気調和装置の異なる縦断側面図である。
【図３】化粧パネルとドレンパンを取り外して下から視上げた図である。
【図４】化粧パネルを取り外して下から視上げた図である。
【図５】図３におけるＶ−Ｖ断面図である。
【図６】板金製仕切板を機械室側から見た縦断面図である。
【図７】板金製仕切板を機械室側から見た斜視図である。
【図８】板金製仕切板を逆さにして熱交換器室側から見た斜視図である。
【図９】台座板を逆さにして熱交換器室側から見た斜視図である。
【図１０】外箱と板金製仕切板と台座板を下から見た図である。
【符号の説明】
【００２３】
１０  空気調和装置
１１  外箱
１５ａ  一次空気側
１５ｂ  二次空気側
１７  送風ファン
１８  発泡樹脂製ドレンパン
１９  室内熱交換器
３８  台座板
４０  ドレンポンプ
４２  仕切板
４２ａ  正面壁
４２ｂ  段差壁
４２ｃ，４２ｄ  ブラケット
【図１】
0004739890.tif 000002
【図２】
0004739890.tif 000003
【図３】
0004739890.tif 000004
【図４】
0004739890.tif 000005
【図５】
0004739890.tif 000006
【図６】
0004739890.tif 000007
【図７】
0004739890.tif 000008
【図８】
0004739890.tif 000009
【図９】
0004739890.tif 000010
【図１０】
0004739890.tif 000011